(57)【要約】【課題】  投球をレッグガードに受けたときの着用者の痛みを和らげることができながらも、レッグガードの位置ズレを効果的に抑制することのできる野球又はソフトボールの捕手又は審判用ロングソックスを提供する。【解決手段】  足脛及び足膝保護用レッグガード５の接触部２を備える野球又はソフトボールの捕手又は審判用ロングソックス１において、接触部２に厚手の衝撃吸収部３と薄手の通気形成部４とを形成することにより、接触部２のソックス外面１ａにおいて衝撃吸収部３と通気形成部４との境界部位で段差Ｄが形成される構成にしてある。【選択図】        図１
2007159966.tif 000002
【特許請求の範囲】
【請求項１】
足脛及び足膝保護用レッグガードの接触部を備える野球又はソフトボールの捕手又は審判用ロングソックスであって、
前記接触部に厚手の衝撃吸収部と薄手の通気形成部とを形成することにより、接触部のソックス外面において衝撃吸収部と通気形成部との境界部位で段差が形成される構成にしてある野球又はソフトボールの捕手又は審判用ロングソックス。
【請求項２】
前記厚手の衝撃吸収部は、ソックス内面側を拡厚して構成されている請求項１記載の野球又はソフトボールにおける捕手又は審判用ロングソックス。
【請求項３】
前記厚手の衝撃吸収部はパイル編みで構成されているとともに、前記薄手の通気形成部は平編みで構成されている請求項２記載の野球又はソフトボールにおける捕手又は審判用ロングソックス。
【発明の詳細な説明】
【技術分野】
【０００１】
本発明は、野球又はソフトボールの捕手又は審判用ロングソックスに関し、より詳しくは、足脛及び足膝保護用レッグガードの接触部を備える野球又はソフトボールの捕手又は審判用ロングソックスに関する。
【背景技術】
【０００２】
一般に、野球又はソフトボールの捕手又は審判（投手の投球を判定する主審）は、主として投手に正対する状況下におかれることから投球を身体に受ける危険性が高く、その危険性の高さ故に、胸を保護するプロテクターや足脛及び足膝を保護するレッグガードなどの防具を着用している。
【０００３】
すなわち、野球又はソフトボールの捕手又は審判は、上述の防具を装着した状態で、捕手にあっては立ち姿勢と又開き状態でしゃがみ込む捕球姿勢との往復動作など、また、審判にあっては立ち姿勢と中腰の判定姿勢との往復動作などの動作を頻繁に行うことになるが、これまで、このような捕手又は審判の特殊な使用状況を考慮したロングソックスは皆無であった。
そのため、従来は、捕手又は審判も平編みで均一に構成された一般的な野球用のロングソックスを着用していた。
【発明の開示】
【発明が解決しようとする課題】
【０００４】
ところが、捕手又は審判が上記の如き一般のロングソックスを着用した場合、捕手又は審判の上記の動作に伴う膝関節の動きなどにより足脛及び足膝に装着されたレッグガードが位置ズレを起こし易いという問題があった。
【０００５】
また、足脛及び足膝を保護するレッグガードを装着するとはいえ、一定の基準のもとで製作されたレッグガードでは、捕手又は審判が投球を身体に受けた場合に生じる痛みなどを投手によっては十分に和らげることができない問題もあった。
【０００６】
この実情に鑑み、本発明の主たる課題は、投球をレッグガードに受けたときの着用者の痛みを和らげることができながらも、レッグガードの位置ズレを効果的に抑制することのできる野球又はソフトボールの捕手又は審判用ロングソックスを提供する点にある。
【課題を解決するための手段】
【０００７】
本発明の第１特徴構成は野球又はソフトボールの捕手又は審判用ロングソックスに係り、その特徴は、
足脛及び足膝保護用レッグガードの接触部を備える野球又はソフトボールの捕手又は審判用ロングソックスであって、
前記接触部に厚手の衝撃吸収部と薄手の通気形成部とを形成することにより、接触部のソックス外面において衝撃吸収部と通気形成部との境界部位で段差が形成される構成にしてある点にある。
【０００８】
つまり、上記第１特徴構成であれば、レッグガードの接触部における通気性を薄手の通気形成部により確保しながらも、投球をレッグガードに受けたときにレッグガードを介して身体に伝わる衝撃を厚手の衝吸収部により吸収することができて、投球をレッグガードに受けたときの着用者の痛みを和らげることができるとともに、これら通気形成部と衝撃吸収部との厚み差により形成されるソックス外面の段差によりソックス外面に対するレッグガードの位置ズレを効果的に抑止することができて、着用者の装着部位に対するレッグガードの位置ズレを効果的に抑止するこができる。
【０００９】
さらに、この通気形成部と衝撃吸収部との段差により通気形成部とレッグガード内面との間に隙間を形成することができるから、この隙間を通じてレッグガード内面と接触部との間で通風を図ることができて、レッグガードの接触部における通気性を高く確保することができる。
【００１０】
本発明の第２特徴構成は、第１特徴構成の実施に好適な実施形態を特定するものであり、その特徴は、
前記厚手の衝撃吸収部は、ソックス内面側を拡厚して構成されている点にある。
【００１１】
つまり、上記第２特徴構成によれば、着用者が着用したとき、ソックス内面側が拡厚された衝撃吸収部は、その内面が衝撃吸収部以外の他部分の内面と同じ位置に移動するまでソックス外面側に押圧されることになる。
【００１２】
すなわち、衝撃吸収部がソックス外面側に拡厚して構成されている場合に比して、外観上の体裁を良くすることができながらも、上述の如く衝撃吸収部がソックス外面側に押圧される分だけ衝撃吸収部と着用者の装着部位とを圧着させて衝撃吸収部と着用者の装着部位との間の摩擦力を高めることができ、これにより、着用者の装着部位に対する接触部の位置ズレを抑止することができて、接触部に装着されるレッグガードの着用者の装着部位に対する位置ズレを一層効果的に抑止することができる。
【００１３】
さらに、膝関節を伸ばした状態から膝関節を曲げたとき、膝関節中央よりも前面側に該当するレッグガードの接触部は、引張力を受けながら膝関節の曲がりに応じて曲げ変形することになるが、上記第２特徴構成であれば、膝関節の曲伸に対し、ソックス内面側に拡厚された衝撃緩衝部により接触部の着用者の装着部位における凹凸部との係合し易さを向上させることができ、これにより、膝関節の伸曲に原因する引張力による着用者の装着部位に対する接触部の位置ズレの確率及び量を低減することができて、接触部に装着されるレッグガードにおける着用者の装着部位に対する位置ズレを一層効果的に抑止することができる。
【００１４】
本発明の第３特徴構成は、第２特徴構成の実施に好適な実施形態を特定するものであり、その特徴は、
前記厚手の衝撃吸収部はパイル編みで構成されているとともに、前記薄手の通気形成部は平編みで構成されている点にある。
【００１５】
つまり、上記第３特徴構成であれば、膝関節に曲伸に対し、平編みの通気形成部により接触部の曲げ変形性能を確保しながらも、パイル部の嵩張りから平編みに比して曲げ変形し難いパイル編みの衝撃緩衝部により、接触部と着用者の装着部位における凹凸部との係合状態が衝撃部緩衝部の曲げ変形に原因して外れることを抑止することができ、これにより、膝関節の伸曲に原因する引張力による着用者の装着部位に対する接触部の位置ズレの確率及び量を一層低減することができて、接触部に装着されるレッグガードにおける着用者の装着部位に対する位置ズレを一層効果的に抑止することができる。
【００１６】
また、編み方を変更するだけで厚手の衝撃吸収部と薄手の通気形成部とが形成された接触部を形成することができるから、接触部を接触部以外の他部分と一体的に形成することができ、これにより、接触部が脱落したり、或いは、接触部の位置がズレたりするなどの不具合を確実に防止することができて、上述の如き接触部による効果を確実に得ることができる。
【発明を実施するための最良の形態】
【００１７】
図１〜図１２は、野球又はソフトボールの捕手又は審判用のロングソックス１を示し、このロングソックス１は、野球又はソフトボールの球技時において、捕手又は審判用のレッグガード５をソックス前面側の足脛相当部１Ａから足膝相当部１Ｂに亘るレッグガード接触部２に対し、捕手にあってはズボン６（図５を参照）を介して接触する状態で、審判にあってはズボン６の内側でズボン６を介さずに直接接触する状態で装着して使用される。
【００１８】
前記ロングソックス１は、着用者のつま先から膝下までの装着長さを備える一般の野球用ロングソックスよりも長い装着長さで、詳しくは、着用者のつま先から大腿中間部までの装着長さで形成してあり、特に、審判がズボン６を介さずにレッグガードを装着したときに、ロングソックス１の上端よりも上方で後述するレッグガード５の固定ベルト５Ａが身体と直接接触することを抑止し、これにより、固定ベルト５Ａと身体との接触に原因する着用者の違和感や痛みなどを抑止するようにしてある。
【００１９】
前記レッグガード接触部２は、比較的小面積の厚手の衝撃吸収部３を縦方向に複数個（本例では８個）形成するとともに、その衝撃吸収部３どうしの間に横方向細帯状の薄手の通気形成部４を複数本（本例では７本）形成して構成してあり、薄手の通気形成部４を通じた通気によりレッグガードの接触部２の通気性を良好に確保しながらも、投球をレッグガード５に受けたときに身体に伝わる衝撃を厚手の衝撃吸収部３に吸収させることで、投球をレッグガード５に受けたときの着用者の痛みを和らげるようにしてある。
【００２０】
前記薄手の通気形成部４は、平編みで構成してあり、また、前記衝撃吸収部３は、平編みからソックス内面１ｂ側にパイル部３ｂを突出形成したパイル編みで構成して、図４に示すようにソックス内面１ｂ側に拡厚される構成にしてあり、これにより、衝撃吸収部３が外観に露呈することを防止するとともに、膝関節の曲伸に対するレッグガード接触部２の着用者の装着部位における凹凸部との引掛り易さなどの係合し易さ、及び、その係合の外れ難さを高めて、膝関節の伸曲に原因する引張力により着用者の装着部位に対するレッグガード接触部２の位置ズレの確率及び量を低減するようにしてある。
【００２１】
前記衝撃吸収部３は、図４、図５に示す如く、着用者が着用したときにソックス内面１ｂよりも内方に位置する衝撃吸収部内面（すなわち、パイル部３ｂ）がソックス外面１ａ側に押圧されることで、ソックス外面１ａにおいて複数の衝撃吸収部３と複数の通気形成部４との境界部位に複数の段差Ｄが形成される構成にしてある。
【００２２】
つまり、パイル部３ｂがソックス外面１ａ側に押圧される分だけ衝撃吸収部３と着用者とを圧着させて衝撃吸収部３と着用者との間の摩擦力を高めることで、衝撃吸収部３の着用者の装着部位に対する位置ズレを抑止して、衝撃吸収部３を着用者に対する好適な位置に保持するようにしてある。
【００２３】
前記レッグガード５は、例えば、硬質プラスチック製のレッグガード外側面部５ｂと弾性を備えるウレタンやスポンジ製のレッグガード内側面部５ａとから構成してあり（図５を参照）、レッグガード内側面部５ａとロングソックス１の接触部２とが、捕手にあってはズボン６を介して接触する状態で、また、審判にあってはズボン６を介さずに直接接触する状態で固定ベルト５Ａをロングソックス１に巻装することによりロングソックス１に固定される。
【００２４】
図５に示す如く、このレッグガード５とロングソックス１との固定状態においては、レッグガード内側面部５ａと衝撃吸収部外面３ａとが上述の如くズボン６を介して、又はズボン６を介さずに接触することで、レッグガード内側面部５ａと通気形成部４との間に隙間Ｓが形成される。
【００２５】
そして、この隙間Ｓを通じた通風により接触部２での通気性を良好に確保するとともに、弾性のレッグガード内側面５ａの隙間Ｓ対向部分を固定ベルトの締め付け圧力により隙間Ｓ内に入り込ませることで、ソックス外面１ａに対するレッグガード５の位置ズレを抑止して、着用者の装着部位に対するレッグガード５の位置ズレを効果的に抑止する。
【００２６】
なお、つま先相当部１Ｃ、足底相当箇所及びくるぶし相当箇所から土踏まず相当箇所を除く足底相当部１Ｄ、膝裏相当箇所を除くふくらはぎ相当部１Ｅは、前記衝撃吸収部３と同様のパイル編みにより一体的に厚手に構成してあり、着用者の体重を受け止めるつま先相当部１Ｃ及び足裏相当部１Ｄでの破れなどの破損を抑止するとともに、レッグガード５を装着するときに巻装される固定ベルト５Ａによる締め付け圧力をふくらはぎ相当部１Ｅで吸収し、これにより、固定ベルト５Ａの締め付け圧力に原因する着用者の違和感を低減するようにしてある。
【００２７】
また、つま先相当部１Ｃ、足裏相当部１Ｄ、ふくらはぎ相当部１Ｅ、及び、前記レッグガード接触部２以外の部分は平編みで構成してあり、ロングソックス１の通気性を極力確保するようにしてある。
【００２８】
そしてまた、レッグガード接触部２を備えるロングソックス１を編み方の変更により一体的に構成することで、レッグガード接触部２が脱落したり、或いは、レッグガード接触部２の位置がズレたりするなどの不具合を確実に防止するようにしてある。
【００２９】
さらに、ロングソックス１の着用者の足に対する締め付け圧力は、足底から上方に向かって強から弱に、詳しくは、足底から上方に向かって、約２５ｈｐａ、約１９ｈｐａ、約１６ｈｐａ、約１５ｈｐａの順に変化する調整にしてあり、これにより、足とのフィット感、疲労回復及び疲労軽減、足の浮腫み抑制などに良好なロングソックスとなるようにしてある。
【００３０】
［その他の実施形態］
（１）前述の実施形態では、衝撃吸収部３を備えるロングソックス１を一体的に構成した場合を例に挙げて説明したが、衝撃吸収部３を独立して構成してロングソックス１に配設する構成にしてもよい。
【００３１】
（２）前述の実施形態では、衝撃吸収部３をパイル部３ｂがソックス内面１ｂ側に突出形成されるパイル編みで構成した場合を例に挙げて説明したが、パイル部３ｂがソックス外面１ａ側に突出形成されるパイル編みで構成してもよく、また、パイル部３ｂがソックス外面１ｂ側とソックス外面１ａ側の両方側に突出形成されるパイル編みで構成してもよい。
【図面の簡単な説明】
【００３２】
【図１】本発明の野球又はソフトボールの捕手又は審判用ロングソックスの着用状態を示す図
【図２】本発明の野球又はソフトボールの捕手又は審判用ロングソックスの着用状態を示す図
【図３】本発明の野球又はソフトボールの捕手又は審判用ロングソックスの着用状態を示す図
【図４】本発明の野球又はソフトボールの捕手又は審判用ロングソックスにおける衝撃吸収部を模式的に示す側面断面部分説明図
【図５】本発明の野球又はソフトボールの捕手又は審判用ロングソックスの着用状態においてレッグガードを装着した球技時の衝撃吸収部の状態を模式的に示す側面断面部分説明図
【図６】本発明の野球又はソフトボールの捕手又は審判用ロングソックスの正面図
【図７】本発明の野球又はソフトボールの捕手又は審判用ロングソックスの背面図
【図８】本発明の野球又はソフトボールの捕手又は審判用ロングソックスの右側面図
【図９】本発明の野球又はソフトボールの捕手又は審判用ロングソックスの左側面図
【図１０】本発明の野球又はソフトボールの捕手又は審判用ロングソックスの平面図
【図１１】本発明の野球又はソフトボールの捕手又は審判用ロングソックスの底面図
【図１２】図８のＡ−Ａ線断面図
【符号の説明】
【００３３】
１          ロングソックス
１ａ        ソックス外面
１ｂ        ソックス内面
２          レッグガード接触部
３          衝撃吸収部
４          通気形成部
５          レッグガード
Ｄ          段差
【図１】
2007159966.tif 000003
【図２】
2007159966.tif 000004
【図３】
2007159966.tif 000005
【図４】
2007159966.tif 000006
【図５】
2007159966.tif 000007
【図６】
2007159966.tif 000008
【図７】
2007159966.tif 000009
【図８】
2007159966.tif 000010
【図９】
2007159966.tif 000011
【図１０】
2007159966.tif 000012
【図１１】
2007159966.tif 000013
【図１２】
2007159966.tif 000014